(57)【要約】【課題】モータを確実に保持することができると共に、モータから発生する振動を被振動体へ効率良く伝えることができるモータ取付部材を提供する。【解決手段】モータ３０を保持するためのモータ保持部１１と、該モータ保持部１１を整列樋６に取り付けるための取付部２０と、を備える。モータ保持部１１は、モータ３０を直接保持する第一保持部１１０と、該第一保持部１１０に別体として組み合わされ、モータ３０を保持した第一保持部１１０を取付部２０に押圧した状態で保持する第二保持部１２０と、を備える。【選択図】図１
2020005409.tif 000002
【特許請求の範囲】
【請求項１】
モータを該モータから発生する振動を伝える被振動体に取り付けるためのモータ取付部
材において、
前記モータを保持するためのモータ保持部と、該モータ保持部を前記被振動体に取り付
けるための取付部と、を備え、
前記モータ保持部は、前記モータを直接保持する第一保持部と、該第一保持部に別体と
して組み合わされ、前記モータを保持した前記第一保持部を前記取付部に押圧した状態で
保持する第二保持部と、を備えたことを特徴とするモータ取付部材。
【請求項２】
前記第一保持部は、前記モータを挿入可能な筒型であって、挿入された前記モータを内
側に摩擦力で保持可能な弾性材質により形成され、
前記第二保持部は、前記取付部と対向する位置に前記モータが挿入された前記第一保持
部を前記取付部に押圧した状態で保持するための押圧部を備え、
前記モータ保持部を前記取付部に組み付けるときの前記押圧部と前記取付部との間隔は
、前記第一保持部の外径よりも小さく設定されたことを特徴とする請求項１に記載のモー
タ取付部材。
【請求項３】
前記モータ保持部は、前記モータにおける円筒型のハウジングを保持するものであり、
前記第二保持部は、前記押圧部から取付部に向けて延設され、前記押圧部に押圧された
第一保持部と接触する延設部を備えることを特徴とする請求項２に記載のモータ取付部材
。
【発明の詳細な説明】
【技術分野】
【０００１】
本発明は、モータを該モータから発生する振動を伝える被振動体に取り付けるためのモ
ータ取付部材に関する。
【背景技術】
【０００２】
従来よりモータには様々な種類があり、例えば、振動を発生させることを目的とする振
動モータは各種の用途に用いられている。振動モータの用途の一例として、遊技場では、
遊技機に遊技媒体である遊技球を供給する際に発生し得る球詰まりを解消するための遊技
機用詰まり解消装置に利用されている（例えば、特許文献１参照）。
【０００３】
遊技機用詰まり解消装置は、遊技球が詰まりやすい補給シュートに振動モータを取付部
材を介して取り付けて、振動モータから発生する振動を補給シュートに伝えることで球詰
まりを解消するものであった。ここで取付部材は、上面が開放されたケース状の保持部を
備え、保持部には単に上面から振動モータが載置されていた。また、保持部はフック状の
掛止部に取り付けられて、掛止部は補給シュートの上端側に掛止されて固定手段により固
定されていた（特許文献１の段落００２４参照）。
【先行技術文献】
【特許文献】
【０００４】
【特許文献１】特開２０１１−２８７号公報
【発明の概要】
【発明が解決しようとする課題】
【０００５】
前述した遊技機用詰まり解消装置では、振動モータの振動を補給シュートに伝えるため
の取付部材が重要となる。この取付部材において、振動モータを直接保持する保持部は、
単にケース状の部材であり、振動モータを載置するために上面は開放されている。そのた
め、保持部はモータを下方および前後左右方向からしか拘束できず、モータ全体に対する
保持力が脆弱であった。
【０００６】
また、保持部が掛止部に取り付けられた状態において、保持部に載置された振動モータ
が特に掛止部に対して強く接することはない。よって、振動モータの振動は、振動モータ
から前述したように保持力に欠ける保持部に伝わり、この保持部から掛止部へと伝わった
後に、補給シュートに伝わる。このような取付部材の構造では、モータの振動が伝達過程
でかなり減殺されるため、補給シュートへ効率良く振動を伝えることができなかった。
【０００７】
本発明は、以上のような従来の技術が有する問題点に着目してなされたものであり、モ
ータを確実に保持することができると共に、モータから発生する振動を被振動体へ効率良
く伝えることができるモータ取付部材を提供することを目的としている。
【課題を解決するための手段】
【０００８】
前述した目的を達成するための本発明の要旨とするところは、以下の各項の発明に存す
る。
［１］モータ（３０）を該モータ（３０）から発生する振動を伝える被振動体（６）に
取り付けるためのモータ取付部材（１０）において、
前記モータ（３０）を保持するためのモータ保持部（１１）と、該モータ保持部（１１
）を前記被振動体（６）に取り付けるための取付部（２０）と、を備え、
前記モータ保持部（１１）は、前記モータ（３０）を直接保持する第一保持部（１１０
）と、該第一保持部（１１０）に別体として組み合わされ、前記モータ（３０）を保持し
た前記第一保持部（１１０）を前記取付部（２０）に押圧した状態で保持する第二保持部
（１２０）と、を備えたことを特徴とするモータ取付部材（１０）。
【０００９】
［２］前記第一保持部（１１０）は、前記モータ（３０）を挿入可能な筒型であって、
挿入された前記モータ（３０）を内側に摩擦力で保持可能な弾性材質により形成され、
前記第二保持部（１２０）は、前記取付部（２０）と対向する位置に前記モータ（３０
）が挿入された前記第一保持部（１１０）を前記取付部（２０）に押圧した状態で保持す
るための押圧部（１２１）を備え、
前記モータ保持部（１１）を前記取付部（２０）に組み付けるときの前記押圧部（１２
１）と前記取付部（２０）との間隔は、前記第一保持部（１１０）の外径よりも小さく設
定されたことを特徴とする前記［１］に記載のモータ取付部材（１０）。
【００１０】
［３］前記モータ保持部（１１）は、前記モータ（３０）における円筒型のハウジング
（３１）を保持するものであり、
前記第二保持部（１２０）は、前記押圧部（１２１）から取付部（２０）に向けて延設
され、前記押圧部（１２１）に押圧された第一保持部（１１０）と接触する延設部（１２
２）を備えることを特徴とする前記［２］に記載のモータ取付部材（１０）。
【００１１】
次に、前述した解決手段に基づく作用を説明する。
前記［１］に記載のモータ取付部材（１０）によれば、モータ保持部（１１）は、モー
タ（３０）を直接保持する第一保持部（１１０）と、該第一保持部（１１０）に別体とし
て組み合わされる第二保持部（１２０）と、を備える。このような２つのパーツの組み合
わせにより、モータ（３０）を様々な方向から取り囲むことが可能となり確実に保持する
ことができる。
【００１２】
第二保持部（１２０）は、モータ（３０）を直接保持した第一保持部（１１０）を取付
部（２０）に押圧した状態で保持する。このような簡単な構成で被振動体（６）にモータ
（３０）を容易に取り付けることができる。そして、モータ（３０）から発生する振動を
、第一保持部（１１０）および第二保持部（１２０）を介して取付部（２０）から被振動
体（６）へ効率良く伝えることができる。
【００１３】
前記［２］に記載のモータ取付部材（１０）によれば、第一保持部（１１０）は、モー
タ（３０）を挿入可能な筒型であるため、モータ（３０）を全周から包囲した状態に容易
に保持することができる。ここで第一保持部（１１０）は、モータ（３０）を摩擦力で保
持可能な弾性材質により形成されるため、モータ（３０）が第一保持部（１１０）から簡
単に抜け落ちるようなことはない。よって、モータ取付部材（１０）の組み立て時におけ
る作業効率が良い。
【００１４】
また、第二保持部（１２０）は、取付部（２０）と対向する位置に、モータ（３０）が
挿入された第一保持部（１１０）を取付部（２０）に押圧した状態で保持するための押圧
部（１２１）を備える。ここでモータ保持部（１１）を取付部（２０）に組み付けるとき
の前記押圧部（１２１）と取付部（２０）との間隔を、第一保持部（１１０）の外径より
も小さく設定する。これにより、弾性材質である第一保持部（１１０）は押しつぶされた
状態となり、内側のモータ（３０）と外側の第二保持部（１２０）と取付部（２０）とに
弾発的に接触する。このような簡単な構成により、モータ（３０）を確実に保持すること
ができる。
【００１５】
前記［３］に記載のモータ取付部材（１０）によれば、モータ（３０）のハウジング（
３１）の外周が円形であっても、モータ（３０）を第一保持部（１１０）で全周から包囲
し、さらに第一保持部（１１０）をモータ（３０）ごと、第二保持部（１２０）の押圧部
（１２１）と延設部（１２２）とで取り囲むように取付部（２０）に固定される。これに
より、モータ（３０）が不必要にガタついたり、脱落するおそれもなく、安定した状態で
使用することができる。
【発明の効果】
【００１６】
本発明に係るモータ取付部材によれば、モータを確実に保持することができると共に、
モータから発生する振動を被振動体へ効率良く伝えることができる。
【図面の簡単な説明】
【００１７】
【図１】本発明の実施の形態に係るモータ取付部材を示す正面図である。
【図２】本発明の実施の形態に係るモータ取付部材を示す右側面図である。
【図３】本発明の実施の形態に係るモータ取付部材を示す平面図である。
【図４】本発明の実施の形態に係るモータ取付部材を示す底面図である。
【図５】本発明の実施の形態に係るモータ取付部材を示す平面図（ａ）とその一部拡大図（ｂ）である。
【図６】本発明の実施の形態に係るモータを示す正面図である。
【図７】本発明の実施の形態に係るモータを示す平面図である。
【図８】本発明の実施の形態に係るモータを示す底面図である。
【図９】本発明の実施の形態に係るモータ取付部材の第一保持部を示す正面図である。
【図１０】本発明の実施の形態に係るモータ取付部材の第一保持部を示す平面図である。
【図１１】本発明の実施の形態に係るモータ取付部材の第二保持部を示す正面図である。
【図１２】本発明の実施の形態に係るモータ取付部材の第二保持部を示す右側面図である。
【図１３】本発明の実施の形態に係るモータ取付部材の第二保持部を示す平面図である。
【図１４】本発明の実施の形態に係るモータ取付部材の第二保持部を示す底面図である。
【図１５】本発明の実施の形態に係るモータ取付部材の取付部を示す正面図である。
【図１６】本発明の実施の形態に係るモータ取付部材の取付部を示す右側面図である。
【図１７】本発明の実施の形態に係るモータ取付部材の取付部を示す平面図である。
【図１８】本発明の実施の形態に係るモータ取付部材の取付部を示す底面図である。
【図１９】本発明の実施の形態に係るモータ取付部材を備えた遊技機島の内部を一部示す正面図である。
【図２０】本発明の実施の形態に係るモータ取付部材を備えた遊技機島の要部を拡大して示す正面図である。
【図２１】本発明の実施の形態に係るモータ取付部材を取り付ける整列樋を示す正面図である。
【図２２】本発明の実施の形態に係るモータ取付部材を取り付ける整列樋を示す右側面図である。
【図２３】本発明の実施の形態に係るモータ取付部材を取り付ける整列樋を示す背面図である。
【図２４】本発明の実施の形態に係るモータ取付部材の整列樋に対する取付状態を示す正面図である。
【図２５】本発明の実施の形態に係るモータ取付部材の整列樋に対する別の取付状態を示す正面図である。
【図２６】本発明の実施の形態に係る基板ケースを示す斜視図である。
【図２７】本発明の実施の形態に係る基板ケースを示す正面図である。
【図２８】本発明の実施の形態に係る基板ケースを示す平面図である。
【図２９】本発明の実施の形態に係る基板ケースを示す底面図である。
【図３０】本発明の実施の形態に係る基板ケースを示す右側面図である。
【図３１】本発明の実施の形態に係る基板ケースを示す左側面図である。
【図３２】本発明の実施の形態に係る基板ケースのケース本体を示す正面図である。
【図３３】本発明の実施の形態に係る基板ケースのケース本体を示す平面図である。
【図３４】本発明の実施の形態に係る基板ケースのケース本体を示す底面図である。
【図３５】本発明の実施の形態に係る基板ケースのケース本体を示す右側面図である。
【図３６】本発明の実施の形態に係る基板ケースのケース本体を示す左側面図である。
【図３７】本発明の実施の形態に係る基板ケースの上蓋を示す正面図である。
【図３８】本発明の実施の形態に係る基板ケースの上蓋を示す平面図である。
【図３９】本発明の実施の形態に係る基板ケースの上蓋を示す右側面図である。
【図４０】本発明の実施の形態に係るモータ取付部材とモータを含む球詰まり解消装置を概略的に示すブロック図である。
【図４１】本発明の実施の形態に係る制御手段によるモータの制御を説明するタイミングチャートである。
【図４２】本発明の実施の形態に係る制御手段によるモードの設定を説明する図表である。
【図４３】本発明の実施の形態に係る制御手段による球詰まりの解消の流れを説明するフローチャートである。
【図４４】本発明の実施の形態に係る制御手段によるモータ駆動処理の流れを説明するフローチャートである。
【図４５】本発明の実施の形態に係る制御手段によるモータ停止処理の流れを説明するフローチャートである。
【発明を実施するための形態】
【００１８】
以下、図面に基づき本発明を代表する実施の形態を説明する。  
図１〜図４５は、本発明の一実施の形態を示している。  
本実施の形態に係るモータ取付部材１０は、モータ３０を該モータ３０から発生する振
動を伝える被振動体に取り付けるものである。以下、モータ取付部材１０を、遊技機島１
において各遊技機２に遊技球を供給する整列樋６に取り付けて、整列樋６で生じた球詰ま
りをモータ３０の振動により解消する適用例について説明する。よって、本実施の形態で
は被振動体は整列樋６である。
【００１９】
＜モータ取付部材１０とモータ３０の概要＞
図１〜図４に示すように、モータ取付部材１０は、モータ３０を保持するためのモータ
保持部１１と、該モータ保持部１１を後述の整列樋６（被振動体）に取り付けるための取
付部２０と、を備えている。本実施の形態のモータ３０は、回転により振動を発生させる
振動モータである。振動モータは、その回転軸に偏心した錘が固定され、給電されると回
転軸が回転して振動を発生させるものであり、その構成は周知である。なお、モータ３０
は、必ずしも周知の振動モータに限定されることはなく、振動を発生するものであれば特
にモータの種類は問わない。
【００２０】
図６〜図８に示すように、本実施の形態でモータ３０に採用した振動モータは、円筒型
のハウジング３１の上端面より回転軸３２が軸心に沿って突出しており、回転軸３２には
偏心した錘３３が固定されている。また、ハウジング３１の下端面からは、図示省略した
がコードが延出している。ハウジング３１の外周は、一端から他端にかけて同径の円形を
なしている。このようなモータ３０は、振動モータのうち特にコアレスタイプのＤＣモー
タが適している。
【００２１】
コアレスタイプのＤＣモータとは、ハウジング３１の内部に、図示省略した鉄心がない
回転子（ロータ）を、固定された磁石の周りを回転可能に軸支したものであり、その構成
は一般的であるので詳細な説明は省略する。コアレスタイプのＤＣモータは、回転子（ロ
ータ）に鉄心がないため、コギング（トルクの脈動）が発生せず、熱も発生しないという
特性を備えている。
【００２２】
＜モータ保持部１１の詳細＞
図１〜図４に示すように、モータ保持部１１は、モータ３０を直接保持する第一保持部
１１０と、該第一保持部１１０に別体として組み合わされ、モータ３０を保持した第一保
持部１１０を取付部２０に押圧した状態で保持する第二保持部１２０と、を備えている。
図９，図１０に示すように、第一保持部１１０は、モータ３０を挿入可能な筒型であっ
て、挿入されたモータ３０を内側に摩擦力で保持可能な弾性材質により形成されている。
【００２３】
第一保持部１１０の弾性材質は、後述する第二保持部１２０よりも摩擦係数が大きいも
のであり、具体的には例えば、ウレタン樹脂（ポリウレタン（ＰＵ））、ポリ塩化ビニル
（軟質ＰＶＣ）、シリコン樹脂、合成ゴム等の粘弾性を有するものが適している。図５に
示すように、第一保持部１１０の内径は、前記モータ３０（のハウジング３１）の外径よ
りも若干大きく設定されている。
【００２４】
第一保持部１１０は、前記モータ３０の外周に合わせて円筒型が適しているが、モータ
３０を内側に直接保持できれば多角形ないし異形断面の筒型でもかまわない。ここでの筒
型とは、必ずしも全周に亘って面状に連なる壁面を備えている必要はなく、例えば、網目
状に構成されたものであっても良い。さらに、モータ３０の外周を全周方向から覆い得る
ものであれば、筒状以外にもスパイラル状の構成も考えられる。なお、第一保持部１１０
は、必ずしも一体成形品である必要はなく、複数のパーツを組み合わせて形成したもので
も良い。
【００２５】
図１１〜図１４に示すように、第二保持部１２０は、前記第一保持部１１０とは別体と
して構成されており、第一保持部１１０に組み合わされて、第一保持部１１０と共にモー
タ保持部１１を構成する部材である。第二保持部１２０は、モータ３０を保持した第一保
持部１１０を取付部２０に押圧した状態で保持する。本実施の形態では第二保持部１２０
は、第一保持部１１０を取り囲むように保持しつつ取付部２０に固定されることにより、
第一保持部１１０を取付部２０に押圧した状態で保持するように構成されている。
【００２６】
第二保持部１２０の材質は、前記第一保持部１１０よりも剛性の高い材質が望ましく、
具体的には例えば、ステンレス、アルミニウム（合金）、電気亜鉛メッキ鋼板等の金属や
、ポリカーボネイトや超高分子量ポリエチレン等の高硬度の合成樹脂等が適している。ま
た、第二保持部１２０の材質は、前記第一保持部１１０の材質と比べて摩擦係数は小さい
ものである。
第二保持部１２０は、後述する取付部２０と対向する位置に、モータ３０が挿入された
第一保持部１１０を取付部２０に押圧した状態で保持するための押圧部１２１を備えてい
る。また、第二保持部１２０は、前記押圧部１２１から取付部２０に向けて延設され、押
圧部１２１に押圧された第一保持部１１０と接触する延設部１２２を備えている。
【００２７】
詳しく言えば、第二保持部１２０の押圧部１２１は、平坦で長方形の壁面をなし、後述
する取付部２０の取付面と平行に対向して配置される部位である。押圧部１２１の長手方
向に延びる両側縁から、それぞれ取付部２０に向けて延設部１２２が直角に連なるように
延設されている。このように押圧部１２１と一対の延設部１２２，１２２は、略コ字形の
横断面をなし、その内側にモータ３０を保持した第一保持部１１０が収まる。
【００２８】
ここで押圧部１２１の長手方向（長辺）の寸法は、モータ３０のハウジング３１の全長
に合わせられている。なお、押圧部２０は、第一保持部１１０を取付部２０に押圧するこ
とができる構成であれば足りるので、平坦な壁面に限らず、壁面がメッシュ状であったり
、スリットが入っていてもかまわない。また、押圧部１２１は、複数本の棒から構成され
ていても良い。なお、延設部１２２の構成についても同様である。
【００２９】
押圧部１２１の短辺となる一端縁と他端縁には、モータ３０のハウジング３１の両端面
に係合するストッパとして突片１２１ａ，１２１ｂが、それぞれ内側へ略直角に起立する
ように設けられている。これらの突片１２１ａ，１２１ｂは、各端縁にある舌片状の出っ
張りを単に折り曲げた簡易なものである。なお、上側の突片１２１ａは、ハウジング３１
の一端面より突出した回転軸３２に干渉しない程度に突出している。また、下側の突片１
２１ｂは、ハウジング３１の他端面より延出する配線に干渉しない程度に突出している。
【００３０】
各延設部１２２は、それぞれ一定幅で押圧部１２１の両側縁から直角に折れ曲がってお
り、各延設部１２２の幅が、第二保持部１２０で第一保持部１１０（モータ３０も含む）
が収まる空間の奥行寸法となる。この奥行寸法は、モータ保持部１１を取付部２０に組み
付けるときの押圧部１２１と取付部２０との間隔に相当する。押圧部１２１と取付部２０
との間隔は、前記第一保持部１１０の外径よりも小さく設定されている。すなわち、モー
タ保持部１１を取付部２０に組み付けるときに、弾性材質である第一保持部１１０は押し
つぶされた状態となるように構成されている。
【００３１】
各延設部１２２の一端縁側１２２ａは、押圧部１２１の一端縁より長手方向にさらに延
出しており、それぞれの先端側１２２ｂは互いに対向するように内側へ直角に折り曲げら
れている。この各延設部１２２の一端縁側１２２ａの内側は、モータ３０の回転軸３２と
錘３３を囲って保護するための空間となっている。なお、各延設部１２２の他端縁は、押
圧部１２１の他端縁と揃っている。
【００３２】
各延設部１２２において、その一端縁側１２２ａで内側に折り曲げられた角から他端縁
に亘って直線状に延びる側端縁には、それぞれ外側へ直角に連なるように対接部１２３が
設けられている。各対接部１２３は、取付部２０の取付面に当接させた状態で固定するた
めの部位である。各対接部１２３には、取付部２０にネジ止めするためのネジ孔１２３ａ
が設けられている。
【００３３】
図１５〜図１８に示すように、取付部２０は、モータ保持部１１を整列樋６に取り付け
るための部材であり、固定具２１と弾性体２２とから構成されている。固定具２１の材質
は、前記第二保持部１２０と同様に金属や高硬度の合成樹脂等が適している。また、弾性
体２２の材質は、前記第一保持部１１０と同様に弾性材質であるが、より硬度が高いもの
が適しており、粘弾性は特に必要ではなく、具体的には例えば合成ゴム等から形成すると
良い。
【００３４】
詳しく言えば、固定具２１は、平坦で上下方向に延びる長方形の取付面をなす正面部２
１１と、正面部２１１の上端側が後方へ直角に曲がった上端部２１２と、さらに上端部２
１２の先端側が所定幅で正面部２１１と平行に対向するように下方へ直角に曲がった掛止
部２１３からなる。正面部２１１の両側端側には、前記第二保持部１２０の対接部１２３
にあるネジ孔１２３ａに合致する位置に、それぞれネジ孔２１１ａが設けられている。こ
のような固定具２１は、材質が金属板であれば、一枚の長方形の金属板を折り曲げて形成
される。
【００３５】
弾性体２２は、前述の弾性材質を板状に成形したものであり、例えばゴム板が適してい
る。弾性体２２は、固定具２１の正面部２１１の内側に貼り合わされる。弾性体２２は長
方形の板状であり、その大きさは、正面部２１１の長辺と縦方向の長さは一致しているが
、正面部２１１の短辺よりも短い横方向の幅に設定されている。弾性体２２は、正面部２
１１の内側で、その両側端付近（ネジ孔２１１ａのある部位）には重ならないように中央
寄りに配されている。また、弾性体２２の板厚は、固定具２１の上端部２１２の幅よりも
薄く設定されて、掛止部２１３との間に隙間が確保されている。この隙間は、掛止部２１
３を掛け止める整列樋６の板厚に合わせて設定すると良い。
【００３６】
＜遊技機島１の概要＞
次に、モータ取付部材１０を取り付ける整列樋６を備えた遊技機島１の概要について説
明する。図１９に示すように、遊技機島１は、島枠フレームの中段に複数の遊技機２を横
並びに設置して構築されている。遊技機２は、例えば、盤面上に遊技球を打ち出して入賞
を楽しむパチンコ機である。遊技機島１では、一般に遊技機２が背中合わせで前後２列に
列設されているが、遊技機２が片側一列に列設される場合もある。また、各遊技機２の間
には、遊技球を貸し出すための台間球貸機３が配設されている。なお、図１９中では、複
数ある同じ部位については、その一部にのみ符号を付している。
【００３７】
遊技機島１において、遊技機２の上方には、遊技球を貯留する上部タンク４が配設され
ている。遊技機２の上方には、上部タンク４内の遊技球を遊技機２や台間球貸機３等の各
種遊技装置に向けて流下させる補給樋５が配設されている。図２０に示すように、補給樋
５の途中には、遊技機２および台間球貸機３ごとに対応して整列樋６が設置されており、
整列樋６を介して遊技球は各遊技機２等に供給される。なお、遊技機２の下方には、図示
省略したが、各遊技機２から回収した遊技球を貯留する下部タンクが配設されている。下
部タンク内の遊技球は、島内に立設された揚送装置によって前記上部タンク４に揚送され
、島内部における遊技球の循環経路が構成されている。
【００３８】
＜整列樋６の構成＞
次いで、モータ取付部材１０を固定する整列樋６について説明する。図２１〜図２３に
示すように、整列樋６は、前記補給樋５から受け入れた遊技球を一列に整列させた状態で
流下させる球経路６１１を含む樋本体６１０を備えている。球経路６１１は、樋本体６１
０の長手方向に延びる底面壁６１２と、該底面壁６１２の前後両側に沿って起立した正面
壁６１３と背面壁６１４とで囲まれた溝状の空間である。
【００３９】
球経路６１１は、上流端から下流端に亘って下方に傾斜しており、球経路６１１の幅は
、遊技球の直径よりも若干広く設定されている。球経路６１１の下流端には、下方へ延出
した管状の球出口６１５が設けられている。遊技機２に対応して整列樋６では、球出口６
１５はジャバラと称される屈曲可能な管部材６１６を介して遊技機２に連結されている。
一方、台間球貸機３に対応して整列樋６では、球出口６１５は同じく管部材６１６を介し
て台間球貸機３に連結されている。このように遊技球の供給は、遊技機２および台間球貸
機３の２つの系統で行われる。
【００４０】
図２１に示すように、球経路６１１の下流側の上方には、球経路６１１上で２段以上に
競り上がろうとする遊技球を徐々に一列に整列させる球整列部材６１８が配設されている
。また、球経路６１１の下流側で前記球整列部材６１８の上流手前の上方には、球経路６
１１上で多段に重なる遊技球を一段に均すための球均し部材６１７が配設されている。こ
のような整列樋６の球経路６１１でも、遊技球の球詰まりが生じることがあり、かかる球
詰まりを解消するために、整列樋６にはモータ取付部材１０が固定される。
【００４１】
モータ取付部材１０は、モータ３０の振動を球経路６１１に伝えることにより、球経路
６１１上で詰まった遊技球を強制的に動かして球詰まりを解消する。図２１，図２２に示
すように、モータ取付部材１０は、取付部２０を整列樋６の正面壁６１３の上端縁から掛
け止めた状態で、モータ保持部１１が正面壁６１３に対して取付部２０を介して圧接する
ように固定される。その他、球経路６１１には、図示省略したが遊技球の流下を停止させ
るための球止め部材等を設けても良い。
【００４２】
＜球詰まり解消装置について＞
図４０に示すように、前述したモータ取付部材１０によって整列樋６（被振動体）に取
り付けられたモータ３０と、整列樋６における球詰まりを検知するための検知手段４０と
、前記モータ３０の動作を制御するための制御手段５０とによって、整列樋６における球
詰まりを自動的に解消するための球詰まり解消装置が構成されている。
【００４３】
検知手段４０は、例えば、整列樋６の下流端にある球出口６１５付近に遊技球が無いこ
とを検知することで、整列樋６における球詰まりの有無を判断するセンサである。本実施
の形態では検知手段４０は、近接スイッチにより構成されている。ここで近接スイッチは
、高周波発信回路の検出コイルのインピーダンスの変化によって遊技球を検知するもので
ある。近接スイッチは、より具体的には、遊技球を検知すればロウレベル（出力トランジ
スタがＯＦＦ）、遊技球を検知しなければハイレベル（出力トランジスタがＯＮ）となり
、負論理のセンサ信号を出力するように構成されている。
【００４４】
すなわち、整列樋６で球詰まりが発生していなければ、整列樋６の球出口６１５を遊技
球が頻繁に通過しているため、検知手段４０である近接スイッチはロウレベル（出力トラ
ンジスタがＯＦＦ）となり、制御手段５０に対してセンサ信号が出力される。一方、整列
樋６で球詰まりが発生すれば、整列樋６の球出口６１５を遊技球が通過できないため、検
知手段４０である近接スイッチはハイレベル（出力トランジスタがＯＮ）となり、制御手
段５０に対してセンサ信号が出力されない状態となる。
【００４５】
なお、検知手段４０として近接スイッチを例にしたが、他に例えば、発光素子から光を
受光素子に向け照射させ、その間を遊技球が通過する際に光を遮断することで検出する透
過型のフォトセンサ、あるいは遊技球の近接による磁界の変化によって遊技球を検知する
磁気センサ等、遊技球を検知できるセンサであれば何でも良い。
【００４６】
制御手段５０は、前記モータ３０および前記検知手段４０、それに外部電源（ＡＣ２４
Ｖ）と信号線ないし電線を介して電気的に接続されており、検知手段４０からセンサ信号
に基づいてモータ３０の動作を制御するものである。本実施の形態では制御手段５０は、
モータドライブ基板であり、具体的には、各種制御の中枢的機能を果たすＣＰＵ（中央処
理装置）と、ＣＰＵの実行するプログラムや各種の固定的データを記憶するＲＯＭと、プ
ログラムを実行する上で一時的に必要になるデータを記憶するためのＲＡＭ等を主要部と
する回路により構成されている。
【００４７】
制御手段５０には、手動によりモータ３０のＯＮ／ＯＦＦ操作が可能なテストスイッチ
５１と、モータ３０の動作に関する後述のモードを選択的に切り換え可能な設定スイッチ
５２と、各種信号を外部へ出力するための外部出力端子５３等が設けられている。本実施
の形態では制御手段５０は、遊技機２ごとに１つずつ設けられている。よって、制御手段
５０には、１つの遊技機２とその台間球貸機３に対応した２つの整列樋６にある計２つの
モータ３０と計２つの検知手段４０が接続されている。また、テストスイッチ５１と外部
出力端子５３も、それぞれモータ３０の数と同じく２つずつ設けられている。
【００４８】
ここで遊技機２に対応した整列樋６にあるモータ３０と検知手段４０を「系統１」とし
、台間球貸機３に対応した整列樋６にあるモータ３０と検知手段４０を「系統２」として
区別する。なお、１つの制御手段５０に接続されるモータ３０と検知手段４０の数は、必
ずしも２つずつに限定されるものではない。例えば、複数台の遊技機２および台間球貸機
３に対応した数のモータ３０と検知手段４０を、まとめて１つの制御手段５０に接続して
制御するように構成しても良い。この場合、テストスイッチ５１と外部出力端子５３も、
２つずつではなくモータ３０と同じ数だけ設けられることになる。
【００４９】
制御手段５０は、検知手段４０により整列樋６で球詰まりが検知されると、センサ信号
の出力停止に基づきモータ３０を駆動するが、このモータ駆動のタイミングであるオンデ
ィレー時間［秒］は任意に定めることができる。オンディレー時間とは、センサ信号の出
力停止からモータ３０の駆動開始までの時間である。なお、外部出力端子５３からの外部
出力のタイミングについても、同様にオンディレー時間が定められている。
【００５０】
検知手段４０からのセンサ信号の出力が停止しても、整列樋６での球詰まりが一時的な
ものであり、直ぐに球詰まりが自然解消してセンサ信号が再び出力されることがある。こ
のような場合は、モータ３０を敢えて駆動する必要もないため、オンディレー時間を設け
ることで、このタイムラグの中でセンサ信号が再び出力されたときは、モータ３０を駆動
しないように設定している。
【００５１】
オンディレー時間は、例えば、数秒単位で適宜設定すれば良いが、本実施の形態では、
予め３秒と５秒の２つの時間が用意されており、設定スイッチ５２の操作によって前記系
統１，２ごとに選択することができる。すなわち、図４２に示すように、各系統１，２ご
とに、オンディレー時間の３秒と５秒との組み合わせパターンとして、「０」〜「３」の
計４つのモードが用意されている。設定スイッチ５２によって何れかのモードを選択する
ことができる。例えば、モード０の場合には、系統１である遊技機２に対応した整列樋６
のオンディレー時間は３秒であり、系統２である台間球貸機３に対応した整列樋６のオン
ディレー時間も３秒となる。
【００５２】
また、モータ３０の駆動開始後において、整列樋６の球詰まりが解消すれば、整列樋６
の球出口６１５を遊技球が通過して、再びセンサ信号が出力される状態となる。このセン
サ信号が出力開始に基づきモータ３０の駆動を停止することになるが、このモータ駆動停
止のタイミングであるオフディレー時間［秒］も任意に定めることができる。オフディレ
ー時間とは、センサ信号の出力開始からモータ３０の駆動停止までの時間である。このオ
フディレー時間については、本実施の形態では、前述した何れのモードにおいても一律に
１秒と定められている。
【００５３】
テストスイッチ５１は、手動によりモータ３０のＯＮ／ＯＦＦ操作が可能なものであり
、例えば押しボタンスイッチ等から構成されている。このテストスイッチ５１を手動で操
作することにより、モータ３０を強制的に駆動ないし停止することができる。ここでテス
トスイッチ５１を操作してもモータ３０が駆動しなければ、モータ３０自体あるいは配線
系統等が故障していることが分かることになる。
【００５４】
＜基板ケース５００について＞
前記制御手段５０は、専用の基板ケース５００に収納されており、外部からの塵埃やこ
ぼれ球から保護された状態で、遊技機２の上方における遊技機島１の天井裏等に固定され
ている。本実施の形態では基板ケース５００は、合成樹脂による成形品であり、図示した
独自のデザインに形成されている。図２６〜図２９に示すように、基板ケース５００は、
遊技機島１側に固定するための固定部５０１と一体のケース本体５１０と、該ケース本体
５１０に着脱可能に取り付けられる上蓋５２０とを組み合わせてなる。
【００５５】
ケース本体５１０は、垂直面をなす背面壁５１１の前方を囲うように両側面壁５１２，
５１２と上面壁５１３と底面壁５１４とを備え、背面壁５１１と平行な正面側が開口して
いる。ケース本体５１０全体は正面が開口した立方体であり、前記制御手段５０を収納で
きる大きさに設定されている。背面壁５１１の外側には上方に延びる固定部５０１が一体
に設けられている。固定部５０１は、背面壁５１１と平行に延出した垂直壁５０２の上端
より水平に広がる水平壁５０３が連なっている。水平壁５０３の両側には、遊技機島１側
にネジ止めして固定するためのネジ孔５０３ａが設けられている。なお、背面壁５１１の
内側には、制御手段５０を保持するための取付構造が設けられている。
【００５６】
上蓋５２０は、前記ケース本体５１０の正面開口に上から合わさるように取り付けられ
るものであり、底浅のカバー状に形成されている。ここで上蓋５２０における各角部位は
何れもアール形状に湾曲しており、カバーの周囲は丸味を帯びたデザインとなっている。
上蓋５２０の両端縁には、後方へ突出する一対の係合爪５２１，５２１が設けられており
、これらの係合爪５２１が前記ケース本体５１０の両側面壁５１２，５１２に設けられた
被係合溝５１２ａに対して内側からスナップフィット係合することで、上蓋５２０はケー
ス本体５１０に着脱可能に取り付けられる。
【００５７】
図２６に示すように、上蓋５２０の正面における一側端寄りの上方には、制御手段５０
にあるテストスイッチ５１を外部から操作するための開口部５２２が設けられている。ま
た、上蓋５２０の正面における一側端寄りの中央には、制御手段５０にある設定スイッチ
５２を外部から操作するための開口部５２３が設けられている。ここで開口部５２２，５
２３は、遊技球の直径よりも小さく形成されており、遊技球が入ってしまうことを防止す
ることができる。
【００５８】
さらに、図３１に示すように、ケース本体５１０の一側面壁５１２における上方には、
制御手段５０に接続する各種配線を挿通させる開口部５１２ｂが設けられている。なお、
図２９に示すように、ケース本体５１０の底面壁５１４は、放熱用に全体的に大きく開口
している。ここで底面壁５１４の開口は、遊技球の直径よりも大きく形成されているので
、何等かの理由により遊技球が混入してしまい、その状態で上蓋５２０を取り付けたとし
ても、遊技球は底面壁５１４の開口を通してケース本体５１０の外部へ落下する。このた
め、制御手段５０の基板をショートさせる等の事態が生じることを防止することができる
。
【００５９】
＜モータ取付部材１０の取り付けと作用＞
以下に、前述したモータ取付部材１０の取り付けと作用について説明する。
本モータ取付部材１０は、モータ保持部１１によってモータ３０を保持した状態で、該
モータ保持部１１を取付部２０によって被振動体である整列樋６に取り付ける。モータ保
持部１１は、モータ３０を直接保持する第一保持部１１０と、該第一保持部１１０に別体
として組み合わされる第二保持部１２０と、を備える。このような２つのパーツの組み合
わせにより、モータ３０を様々な方向から取り囲むことが可能となり確実に保持すること
ができる。
【００６０】
図９，図１０に示すように、第一保持部１１０は、モータ３０を挿入可能な筒型である
ため、モータ３０のハウジング３１を全周から包囲した状態として容易に直接保持するこ
とができる。ここで第一保持部１１０の内径は、図５に示すように、モータ３０のハウジ
ング３１の外径よりも若干大きいため、第一保持部１１０を弾性変形させて内径を拡張す
ることなく、モータ３０をそのまま第一保持部１１０に容易に挿入することができる。
【００６１】
第一保持部１１０は、挿入されたモータ３０を内側に摩擦力で保持可能な弾性材質であ
り、特に粘弾性を有する材質によって形成されているため、モータ３０を確実に保持する
ことができる。したがって、モータ３０が第一保持部１１０から簡単に抜け落ちるような
ことはなく、モータ取付部材１０の組み立て時における作業効率が良い。第一保持部１１
０によって、モータ３０は先ずハウジング３１の上端面と下端面を除く外周全体が取り囲
まれた状態となる。
【００６２】
このような第一保持部１１０は、例えば、弾性材質ないし粘弾性材質の一般のチューブ
材から、モータ３０のハウジング３１の外径より若干大きな内径のものを選択し、ハウジ
ング３１の全長に合わせて切断して用いれば、製造コストを低減することができる。なお
、第一保持部１１０は、前述したように円筒型に限らず、網目状の筒型やスパイラル状の
構成も考えられる。ただし、第一保持部１１０が滑らかな面状に連なる内周面を備えるも
のであれば、モータ３０を挿入するときに隙間等に引っ掛かるおそれもなく挿入が容易と
なる。
【００６３】
モータ３０は、振動モータのうち特にコアレスタイプのＤＣモータを使用すれば、回転
子（ロータ）に鉄心がないため、コギング（トルクの脈動）が発生せず、熱も発生しない
。これにより、モータ３０の全周を第一保持部１１０で覆っても熱がこもることがない。
また、モータ３０の外径と第一保持部１１０の内径との隙間を極力小さくしても、第一保
持部１１０がモータ３０からの熱の影響を受けることはない。よって、第一保持部１１０
へのモータ３０の挿入の容易性が多少損なわれたとしても、前記隙間を小さくするほど被
振動体に対して振動を効果的に伝えることができる。
【００６４】
モータ３０を保持した第一保持部１１０には、後から第二保持部１２０が組み合わされ
る。ここで第二保持部１２０は、第一保持部１１０とは別体として構成されているため、
第一保持部１１０ではモータ３０を挿入する構成上、囲いきれなかったモータ３０の上下
端面も、後から別途取り囲むように組み合わせることができる。図１〜図４に示すように
、第二保持部１２０は、モータ３０が挿入された第一保持部１１０を取付部２０に押圧し
た状態で保持する押圧部１２１と、押圧部１２１の両側に延設された一対の延設部１２２
，１２２とが、略コ字形の横断面をなし、その内側にモータ３０を保持した第一保持部１
１０を収める。かかる状態としたモータ保持部１１を取付部２０に組み付ける。
【００６５】
第二保持部１２０の内側に収められたモータ３０を保持した第一保持部１１０は、その
両端がモータ３０の上下端面と共に、押圧部１２１の両短辺にある突片１２１ａ，１２１
ｂによって上下からも囲まれる。このような簡単な構成によって、容易に位置決めするこ
とができる。なお、第一保持部１１０自体の粘弾性によっても位置決めできるため、突片
１２１ａ，１２１ｂは必ずしも必要ではないが、組み付け後に粘弾性に勝る力がかかって
も位置ズレを確実に防止することができる。
【００６６】
モータ保持部１１を取付部２０に組み付けるには、第二保持部１２０の両側にある対接
部１２３を、取付部２０の正面部２１１にある取付面に当接させた状態でネジ１２４で固
定する。第二保持部１２０にあるネジ孔１２３ａの内径を、取付部２０にあるネジ孔２２
１ａの内径よりも若干大きく設定しておけば、多少は位置調整ができ寸法誤差を吸収して
ネジ１２４を固定することができる。
【００６７】
このようにモータ保持部１１と取付部２０との組み付けにより、モータ保持部１１の第
二保持部１２０は、取付部２０と対向する位置にある押圧部１２１によって、モータ３０
を直接保持している第一保持部１１０を取付部２０に押圧した状態で保持する。ここで押
圧部１２１と取付部２０との間隔は、第一保持部１１０の外径よりも小さい。したがって
、弾性材質である第一保持部１１０は押しつぶされた状態となり、内側のモータ３０と外
側の第二保持部１２０および取付部２０に対して弾発的に接触する。
【００６８】
詳しくは図５に示したように、第一保持部１１０は、第二保持部１２０の押圧部１２１
の内側面と、取付部２０の正面部２１１の取付面との間で直径方向に押圧され、内側のモ
ータ３０のハウジング３１の外周面にも圧接している。また、押圧された方向と直交する
直径方向には、第一保持部１１０の内径とモータ３０の外径の寸法差分の隙間が寄せられ
ている。この隙間分だけ第一保持部１１０の外周の両側は迫り出し、それぞれ延設部１２
２の内側面にも圧接している。
【００６９】
このような簡単な構成のモータ取付部材１０によって、モータ３０を確実に保持するこ
とができる。特に、モータ３０のハウジング３１の外周が円形であっても、モータ３０を
第一保持部１１０で全周から包囲し、さらに第一保持部１１０をモータ３０ごと、第二保
持部１２０の押圧部１２１と延設部１２２とで取り囲む状態で取付部２０に固定される。
これにより、モータ３０を前後、左右、上下を含む各方向から取り囲むことになり、モー
タ３０が不必要にガタついたり脱落するおそれもなく確実に保持でき、モータ３０を安定
した状態で使用することができる。
【００７０】
次に、図２１，図２２に示すように、モータ取付部材１０を整列樋６に取り付けるには
、取付部２０の固定具２１における上端部２１２ないし掛止部２１３を、整列樋６の正面
壁６１３の上端縁に掛け止める。このとき、固定具２１における正面部２１１の内側にあ
る弾性体２２が整列樋６の正面壁６１３に対して圧接される。よって、モータ保持部１１
も正面壁６１３に対して取付部２０を介して圧接した状態で固定される。このような簡単
な構成でモータ３０を整列樋６に対して容易に取り付けることができる。なお、モータ取
付部材１０の配置は、整列樋６において球詰まりが生じやすい上流寄りにすると良い。
【００７１】
整列樋６の正面壁６１３に圧接する弾性体２２がゴム板であれば、モータ３０の駆動に
より振動が発生しても、容易に位置ズレすることはないが、より確実に固定するためにネ
ジ等の固着手段を用いても良い。例えば、第二保持部１２０のネジ孔１２３ａと取付部２
０のネジ孔２２１ａとに螺合させるネジ１２４を長くして、整列樋６の正面壁６１３に対
してもネジ止めするように構成することもできる。この場合のネジの長さ寸法は、ネジの
脚部の先端が、整列樋６の正面壁６１３を貫通しない程度に設定すれば、ネジが球経路６
１１内に突出することはない。
【００７２】
また、モータ取付部材１０の取り付けにおいて、取付部２０に対するモータ保持部１１
の向きであるが、図２４に示すように、モータ３０の回転軸３２を上方に向けて取り付け
た場合、モータ３０の配線３４は下方に向かって延びる。このような取り付け向きでは、
回転軸３２や錘３３が各延設部１２２の先端側１２２ｂで囲われていても、当該部位に埃
が積もることが予想される。
【００７３】
そこで、図２５に示すように、モータ保持部１１を、モータ３０の回転軸３２が下方を
向き、配線３４が上方に向かって延びるように逆さに取り付けても良い。この取り付け向
きの場合、モータ３０より高い位置にある制御手段５０への配線３４の引き回しが容易と
なる。また、回転軸３２が下方を向くため、回転軸３２周りへの埃の侵入をいっそう避け
ることができる。モータ保持部１１の上下を何れの向きにしても、取付部２０を介して既
存の整列樋６に容易に後から取り付けることができる。よって、モータ取付部材１０を導
入するコストを低減することができる。
【００７４】
＜整列樋６における遊技球の流れ＞
次に、整列樋６における遊技球の流れについて説明する。  
図１９において、遊技機島１の上部タンク４から補給樋５に流出した遊技球は、補給樋
５の途中より各整列樋６の上流側に流入する。整列樋６にて遊技球は、球経路６１１の上
流端から下流端に向かって底面壁６１２の傾斜に従い自重で流下する。
【００７５】
図２１に示すように、球経路６１１で多段に重なる遊技球は、球均し部材６１７によっ
て一段に均される。さらに、球整列部材６１６によって、遊技球は２段以上に競り上がら
ないように一列に整列した状態となる。このようにして遊技球は、一列に整列した状態と
なって球出口１７より落下する。球出口１７から落下した遊技球は、そのまま管部材６１
６を通って遊技機２または台間球貸機３に供給される。
【００７６】
＜制御手段５０によるモータ３０の制御＞
次に、前述した制御手段５０によるモータ３０の制御について説明する。  
前記整列樋６においても遊技球が詰まることがあるが、前記モータ取付部材１０を介し
て取り付けたモータ３０の駆動により、遊技場の店員の作業に頼ることなく球詰まりを自
動的に解消することができる。以下、図４３〜図４５のフローチャートに沿って、モータ
３０の駆動による整列樋６での球詰まりの解消の流れを説明する。
【００７７】
先ず、図４３において本ルーチンが開始されると、最初にステップＳ１０１で、整列樋
６にある検知手段４０が、球詰まりを検知しない通常の状態（玉有）から球詰まりを検知
した状態（玉無）に変化したか否かを判定する。検知手段４０によって、整列樋６におけ
る球詰まりが検知されていなければ、すなわち、整列樋６の球出口６１５を遊技球が通過
していれば、図４１に示したセンサ信号が出力されている状態が維持される。一方、検知
手段４０によって、整列樋６における球詰まりが検知されると、すなわち、整列樋６の球
出口６１５を遊技球が通過しなくなると、図４１に示したセンサ信号の出力が停止する。
【００７８】
ステップＳ１０１で、球詰まりが検知されると（ステップＳ１０１でＹ）、ステップＳ
１０２で、図４０に示した制御手段５０の設定スイッチ５２で選択された何れかのモード
のオンディレー時間を設定する。次いで、ステップＳ１０３で、オンディレー時間をカウ
ントするオンディレータイマの入力がＯＮとなりカウントを開始する。さらに、ステップ
Ｓ１０４で、モータ動作中ＳＷをリセットする。なお、ステップＳ１０１で、球詰まりが
検知されなければ（ステップＳ１０１でＮ）、かかる検知の判定が繰り返される。
【００７９】
その後、ステップＳ１０５で、前記Ｓ１０１とは逆に、検知手段４０が球詰まりを検知
した状態から、球詰まりが解消して球詰まりを検知しない状態に戻ったか否かを判定する
。このステップＳ１０５で、相変わらず球詰まりが検知されると（ステップＳ１０５でＮ
）、ステップＳ１０６に移行して、次述する図４４に示すモータ駆動処理を実行する。一
方、ステップＳ１０５で、球詰まりを検知しなくなれば（ステップＳ１０５でＹ）、ステ
ップＳ１０７に移行して、後述する図４５に示すモータ停止処理を実行する。その後、本
ルーチンは終了となり繰り返される。
【００８０】
次に、前述のモータ駆動処理（図４３，ステップＳ１０６）を、図４４に基づき説明す
る。前述したが整列樋６で球詰まりが発生すると、整列樋６の球出口６１５を遊技球が通
過しなくなるので、検知手段４０からのセンサ信号の出力が停止される。モータ駆動処理
は、センサ信号の出力停止に基づいてモータ３０を駆動して、振動を発生させることによ
り球詰まりを解消するための処理である。
【００８１】
モータ駆動処理においては、先ずステップＳ１１１で、モータ動作中ＳＷが「１」であ
るか否か判定する。ここでモータ動作中ＳＷは、物理的なスイッチではなくプログラムの
変数である。前記オンディレータイマがタイムアップするとモータ３０が駆動するので、
モータ駆動後はモータ駆動に関わるステップを通らないようにするために、ステップＳ１
１１を設けている。
【００８２】
モータ動作中ＳＷが「１」でなければ（ステップＳ１１１でＹ）、ステップＳ１１２に
進み、オンディレータイマがタイムアップしたか否かを判定する。ここでオンディレータ
イマがカウントするオンディレー時間は、前述したように制御手段５０の設定スイッチ５
２によって選択される。例えば、図４２に示すように、モード１が選択された場合には、
系統１（遊技機２）の整列樋６のオンディレー時間は５秒であり、系統２（台間球貸機３
）の整列樋６のオンディレー時間も５秒となる。
【００８３】
このような各モードの選択は、遊技機２のスペック等を参考にして選択すると良い。例
えば、遊技機２のスペックとして大当たり時の賞球数が多い機種では、遊技球を早く補給
しなければならないため、球詰まりを可能な限り早く解消すべくオンディレー時間は短い
方が適している。逆に、大当たり時の賞球数が少ないスペックの機種では、遊技球をさほ
ど早く補給する必要がないため、オンディレー時間が多少長くても良い。なお、図４２に
示した各モードと、それぞれ具体的なオンディレー時間の組み合わせは、一例に過ぎない
。また、遊技機２と台間球貸機３との２系統に分けることなく、１系統に統一しても良い
。
【００８４】
ステップＳ１１２で、オンディレータイマがタイムアップした場合（ステップＳ１１２
でＹ）、次のステップＳ１１３で、モータ出力がＯＮとなる。すなわち、モータ３０に給
電されてモータ３０は駆動し、回転することで振動が発生する。ここでモータ３０からの
振動は、モータ取付部材１０の第一保持部１１０および第二保持部１２０を介して取付部
２０から整列樋６に効率良く伝えられる。そして、整列樋６が振動することにより、球経
路６１１上で詰まっていた遊技球がほぐされて球詰まりは解消し、遊技球は再び球出口６
１５から落下することになる。
【００８５】
続くステップＳ１１４で、外部出力がＯＮとなる。すなわち、制御手段５０にある外部
出力端子５３から、モータ出力がＯＮとなったことを示すエラー信号等が出力されて、か
かる事実が遊技場の店員等に報知される。ここでの外部出力は、遊技機２と台間球貸機３
との２つの系統ごとに独立して出力されることになる。このような外部出力に基づいて、
該当する遊技機２を識別できるように点灯表示したり、警報を発生させるように構成して
も良い。
【００８６】
その後、ステップＳ１１５で、モータ動作中ＳＷを「１」に設定して、ルーチンを終了
し本処理を繰り返すことになる。
また、前記ステップＳ１１２で、オンディレータイマが未だタイムアップしていない場
合も（ステップＳ１１２でＮ）、ルーチンを終了して本処理を繰り返す。さらに、最初の
前記ステップＳ１１１で、モータ動作中ＳＷが「１」であった場合も（ステップＳ１１１
でＮ）、ルーチンを終了して本処理を繰り返すことになる。
【００８７】
次に、前述のモータ停止処理（図４３，ステップＳ１０７）を、図４５に基づき説明す
る。前述したモータ３０の駆動によって整列樋６の球詰まりが解消すると、整列樋６の球
出口６１５を遊技球が再び通過することになり、検知手段４０からセンサ信号が再び出力
される。モータ停止処理は、センサ信号の再出力に基づいてモータ３０を停止させて、無
駄にモータ３０を駆動させないための処理である。
【００８８】
モータ停止処理においては、先ずステップＳ１２１で、図４０に示した制御手段５０の
設定スイッチ５２で選択された何れかのモードのオフディレー時間を設定する。ここでオ
フディレー時間は、前述したが図４２に示すように、何れのモード０〜３においても、ど
ちらの系統１，２においても、本実施の形態では一律に１秒と定められている。もちろん
、オフディレー時間は１秒に限定されるものではなく、前記オンディレー時間と同様に適
宜変更してもかまわない。
【００８９】
次いで、ステップＳ１２２で、オフディレー時間をカウントするオフディレータイマの
入力がＯＮとなり、カウントを開始する。その後、ステップＳ１２３に進み、オフディレ
ータイマがタイムアップしたか否かを判定する。ここでオフディレータイマがタイムアッ
プした場合（ステップＳ１２３でＹ）、次のステップＳ１２４で、モータ出力がＯＦＦと
なる。すなわち、モータ３０への給電が停止されてモータ３０の回転は停止する。これに
より、整列樋６での球詰まりが解消した状況下でのモータ３０の無駄な駆動を防ぐことが
できる。なお、オフディレータイマがタイムアップしていなければ（ステップＳ１２３で
Ｎ）、当該ステップＳ１２３の判定が繰り返される。
【００９０】
さらに、図４１のタイミングチャートに沿っても説明する。整列樋６で球詰まりが発生
していなければ、整列樋６の球出口６１５を遊技球が頻繁に通過しているため、検知手段
４０は遊技球を検知してセンサ信号を継続的に出力している（図４１中のセンサ信号で「
玉有」）。ところが、整列樋６で球詰まりが発生すると、整列樋６の球出口６１５を遊技
球が通過できなくなり、検知手段４０は遊技球を検知しなくなるとセンサ信号の出力を停
止する（図４１中のセンサ信号で「玉無」）。
【００９１】
このようにセンサ信号の出力が停止したタイミングで、初期設定では、図４１中のモー
タ出力ａのようにモータ３０が駆動される。ここでモータ３０が駆動するタイミングは、
実際にはセンサ信号の出力の停止と同時（０秒後）ではなく０．１秒後とタイムラグがあ
る。ところが、前述したようにセンサ信号の出力が停止しても、球詰まりが一時的なもの
であり、直ぐに球詰まりが自然解消してセンサ信号が再び出力されることがある。かかる
場合のモータ３０の無駄な駆動を避けるために、センサ信号の出力停止からモータ駆動に
至る猶予期間として、前述したオンディレー時間を設けている。
【００９２】
オンディレー時間を３秒に設定した場合には、図４１（ａ）中のモータ出力ｂのように
、センサ信号の出力停止（玉有→玉無に変化）から３秒後にモータ３０がＯＮとなり駆動
する。また、オンディレー時間を５秒に設定した場合には、図４１（ａ）中のモータ出力
ｃのように、センサ信号の出力停止（玉有→玉無に変化）から５秒後にモータ３０がＯＮ
となり駆動する。
【００９３】
モータ３０の駆動により振動が発生して、球詰まりが解消されると、整列樋６の球出口
６１５を遊技球が通過して、再び検知手段４０からセンサ信号が出力される（玉無→玉有
に変化）。このセンサ信号の出力再開に基づきモータ３０の駆動を停止するが、本実施の
形態では図４１（ａ）中の何れのモータ出力ａ，ｂ，ｃにおいても、前述したオフディレ
ー時間として一律に１秒のタイムラグを設けている。すなわち、センサ信号の出力再開と
同時にはモータ３０の駆動は停止せず、センサ信号の出力再開から１秒後にモータ３０の
駆動は停止する。
【００９４】
ところで、前述したオンディレー時間が経過する前に、センサ信号の出力が再開される
場合もあり得る。例えば図４１（ｂ）では、センサ信号の出力の停止から３秒後に出力が
再開された例を示している。ここでの３秒は、オンディレー時間の規定値のうち「３秒」
と同じであり、また「５秒」より短い時間である。かかる場合、オンディレー時間が３秒
に設定されたモータ出力ｂでは、１秒程度の短い時間だけモータは駆動するが、オンディ
レー時間が５秒に設定されたモータ出力ｃでは、結局モータ３０は駆動されない。このよ
うに一時的な短い時間だけの球詰まりが生じた場合には、モータ３０の無駄な駆動を避け
ることができる。
【００９５】
なお、前述したモータ３０の制御に関する実施の形態からは、次のような発明概念が導
かれる。
遊技機島１に設けられ、前記モータ取付部材１０によって遊技球の通過経路に取り付け
られたモータ３０と、前記通路経路上での遊技球の詰まりの有無を検知する検知手段４０
と、前記モータ３０の動作を制御して前記通路経路での遊技球の詰まりを振動により解消
する制御手段５０とを備えた球詰まり解消装置において、
前記制御手段５０は、前記検知手段４０による検知から前記モータ３０の駆動または停
止するまでの時間を、前記通路経路上の複数箇所に取り付けられた前記モータ３０ごとに
任意の値に設定可能であることを特徴とする球詰まり解消装置。
【００９６】
さらに、次のような上位の発明概念も導かれる。
前記モータ取付部材１０によって被振動体に取り付けられたモータ３０と、被振動体に
おける振動の必要性の有無を検知する検知手段４０と、前記モータ３０の動作を制御する
ための制御手段５０とを備えた振動発生装置において、
前記制御手段５０は、前記検知手段４０による検知から前記モータ３０の駆動または停
止するまでの時間を、複数あるモータ３０ごとに任意の値に設定可能であることを特徴と
する振動発生装置。
【００９７】
以上、本発明の実施の形態を図面によって説明してきたが、具体的な構成はこれらの実
施の形態に限られるものではなく、本発明の要旨を逸脱しない範囲における変更や追加が
あっても本発明に含まれる。例えば、前記実施の形態では、モータ取付部材１０を整列樋
６の正面壁６１３に取り付けたが、正面壁６１３以外の他の部位に取り付けても良い。ま
た、モータ取付部材１０を取り付ける被振動体は、整列樋６に限定されることはなく、整
列樋６以外の遊技球の通過経路の途中に取り付けても良い。
【００９８】
また、モータ取付部材１０を適用する被振動体は、遊技関連設備に限定されることもな
い。すなわち、モータ取付部材１０は、遊技球の流下における球詰まりの解消だけでなく
、他に例えば、ペット用の粒状の餌の流下における詰まりの解消等、振動を必要する被振
動体に対して広く適用することができる。
【００９９】
また、被振動体に対する取付部２０の具体的な取り付け方法は、前記実施の形態では、
取付部２０の固定具２１における上端部２１２ないし掛止部２１３を、整列樋６の正面壁
６１３の上端縁に上から掛け止めるようにしたが、被振動体の形状や構造にあわせて、ど
のように取り付けても構わない。
【０１００】
例えば、被振動体にスリットを設け、このスリットに取付部を差し込むようにして取り
付けても良い。あるいは、被振動体側にネジ孔を設け、取付部をネジ止めしたり、被振動
体側に取付部を直接貼り付けるようにしても良い。
【０１０１】
さらに、第二保持部１２０自体に、取付部２０の機能を備えるように構成しても良い。
この場合、対接部１２３が取付部の役割を果たすように構成することが考えられる。ただ
し、第二保持部１２０の取付部は、第二保持部１２０の一部であれば良く、対接部１２３
に限定されることはない。
【０１０２】
ここで第二保持部１２０の取付部を、被振動体に取り付けるには、前述したように、被
振動体にスリットを設け、このスリットに取付部を差し込むようにして取り付けても良い
。あるいは、被振動体側にネジ孔を設け、取付部をネジ止めしたり、被振動体側に取付部
を直接貼り付けるようにしても良い。
なお、取付部自体がゴムや樹脂等の弾性体で構成されても良い。
【産業上の利用可能性】
【０１０３】
本発明に係るモータ取付部材は、遊技機島内における遊技球の通過経路での球詰まりを
解消するものの他、モータから発生する振動を伝えることが求められる様々な装置につい
ても適用することができる。
【符号の説明】
【０１０４】
１…遊技機島
２…遊技機
３…台間球貸機
４…上部タンク
５…補給樋
６…整列樋
１０…モータ取付部材
１１…モータ保持部
１１０…第一保持部
１２０…第二保持部
１２１…押圧部
１２２…延設部
１２３…対接部
２０…取付部
２１…固定具
２２…弾性体
３０…モータ
３１…ハウジング
４０…検知手段
５０…制御手段
５１…テストスイッチ
５２…設定スイッチ
５３…外部出力端子
【図１】
2020005409.tif 000003
【図２】
2020005409.tif 000004
【図３】
2020005409.tif 000005
【図４】
2020005409.tif 000006
【図５】
2020005409.tif 000007
【図６】
2020005409.tif 000008
【図７】
2020005409.tif 000009
【図８】
2020005409.tif 000010
【図９】
2020005409.tif 000011
【図１０】
2020005409.tif 000012
【図１１】
2020005409.tif 000013
【図１２】
2020005409.tif 000014
【図１３】
2020005409.tif 000015
【図１４】
2020005409.tif 000016
【図１５】
2020005409.tif 000017
【図１６】
2020005409.tif 000018
【図１７】
2020005409.tif 000019
【図１８】
2020005409.tif 000020
【図１９】
2020005409.tif 000021
【図２０】
2020005409.tif 000022
【図２１】
2020005409.tif 000023
【図２２】
2020005409.tif 000024
【図２３】
2020005409.tif 000025
【図２４】
2020005409.tif 000026
【図２５】
2020005409.tif 000027
【図２６】
2020005409.tif 000028
【図２７】
2020005409.tif 000029
【図２８】
2020005409.tif 000030
【図２９】
2020005409.tif 000031
【図３０】
2020005409.tif 000032
【図３１】
2020005409.tif 000033
【図３２】
2020005409.tif 000034
【図３３】
2020005409.tif 000035
【図３４】
2020005409.tif 000036
【図３５】
2020005409.tif 000037
【図３６】
2020005409.tif 000038
【図３７】
2020005409.tif 000039
【図３８】
2020005409.tif 000040
【図３９】
2020005409.tif 000041
【図４０】
2020005409.tif 000042
【図４１】
2020005409.tif 000043
【図４２】
2020005409.tif 000044
【図４３】
2020005409.tif 000045
【図４４】
2020005409.tif 000046
【図４５】
2020005409.tif 000047